(57)【要約】【課題】  施設を利用する利用者が施設を開錠することができなくなってしまうことを回避する。【解決手段】  施設２１−１〜２１−ｎ毎に設けられた開錠／施錠制御装置２８−１〜２８−ｎにおいてＩＣチップに書き込まれた端末ＩＤが読み出された場合に施設２１−１〜２１−ｎの開錠が可能となる携帯電話１０−１〜１０−ｎにおいて、その施設を他の携帯端末によって開錠可能とする旨を指定した場合、施設２１−１〜２１−ｎの開錠が可能となる携帯電話１０−１〜１０−ｎの端末ＩＤを、開錠可能としたい他の携帯端末に書き込む。【選択図】図１
2006144277.tif 000002
【特許請求の範囲】
【請求項１】
施錠された施設の開錠を制御する開錠制御システムであって、
非接触状態にて情報の読み取りが可能なＩＣチップが内蔵された複数の携帯端末と、
前記施設の開錠を可能とする鍵情報を前記施設毎に管理する開錠管理手段と、
前記ＩＣチップから非接触状態にて情報を読み取り可能に構成されて前記施設毎に設けられ、前記開錠管理手段にて管理される鍵情報のうち当該施設の開錠を可能とする鍵情報を前記開錠管理手段から取得し、前記ＩＣチップから当該施設の開錠を可能とする鍵情報が読み取られた場合に当該施設を開錠する開錠／施錠手段と、
前記携帯端末にて当該携帯端末に内蔵されたＩＣチップに書き込まれた鍵情報によって開錠可能となる施設を他の携帯端末によって開錠可能とする旨が指定された場合、当該施設を開錠可能とする合鍵情報が組み込まれたプログラムを前記他の携帯端末に提供するプログラム提供手段と、
前記プログラムが提供された携帯端末にて該プログラムを用いてアクセスされた場合、当該プログラムに組み込まれた合鍵情報の当該携帯端末内の前記ＩＣチップへの書き込みを許可するアクセス許可手段とを有し、
前記携帯端末は、前記アクセス許可手段にて許可された合鍵情報を前記ＩＣチップに書き込む開錠制御システム。
【請求項２】
請求項１に記載の開錠制御システムにおいて、
前記プログラム提供手段は、前記プログラムを提供するサイトへのアクセス情報を前記他の携帯端末に通知し、該携帯端末が前記サイトにアクセスし、予め登録された識別情報が指定された場合にのみ、前記プログラムを提供することを特徴とする開錠制御システム。
【発明の詳細な説明】
【技術分野】
【０００１】
本発明は、施錠された施設の開錠を制御する開錠制御システムに関し、特に、携帯端末を用いて開錠を制御する開錠制御システムに関する。
【背景技術】
【０００２】
近年、マンション等の集合住宅、特に、居住世帯数が多いマンションにおいては、他の集合住宅との差別化を図るため、ミーティングルームやラウンジ、ゲストルーム、あるいは、スパやシアター、エステ、フィットネスクラブ等といった施設を設け、このような施設を居住者に利用可能とする物件が増えてきている。このように居住者が利用可能な施設は、一般的にはマンション等の集合住宅の管理者によって管理されており、居住者はこれらの施設を利用する場合、まず、利用する施設を指定するとともに利用日時や居住者名あるいは部屋番号等を申し出ることにより予約を行い、その後、利用日時にフロント等にて利用代金を支払うとともに施設の鍵を受け取り、受け取った鍵を用いて、予約した施設を開錠して利用することになる。
【０００３】
ここで、マンションやビル等の建物やそれらに付属する設備等の施設に関する最新の情報を管理しておき、この情報をネットワークを介して閲覧、更新できるシステムが考えられている（例えば、特許文献１参照。）。この技術を上述したような施設管理に用いれば、施設の予約をネットワークを介して行うことができるとともに、施設の予約状況をネットワークを介して閲覧することができるようになる。
【特許文献１】特開２００２−２８８３０３号公報
【発明の開示】
【発明が解決しようとする課題】
【０００４】
しかしながら、上述したように施設に関する最新の情報を管理しておき、この情報をネットワークを介して閲覧、更新できる技術を施設管理に用いた場合、施設の予約や予約状況の閲覧をネットワークを介して行うことができるようにはなるものの、施設の利用時においては、鍵を受け取った利用者しか施設を開錠することができないため、例えば、複数の利用者によって施設を利用する場合や、施設の利用を予約して鍵を受け取った利用者が他の利用者に施設を利用させる場合、施設を開錠することができない事態が生じてしまうという問題点がある。
【０００５】
本発明は、上述したような従来の技術が有する問題点に鑑みてなされたものであって、施設を利用する利用者が施設を開錠することができなくなってしまうことを回避することができる開錠制御システムを提供することを目的とする。
【課題を解決するための手段】
【０００６】
上記目的を達成するために本発明は、
施錠された施設の開錠を制御する開錠制御システムであって、
非接触状態にて情報の読み取りが可能なＩＣチップが内蔵された複数の携帯端末と、
前記施設の開錠を可能とする鍵情報を前記施設毎に管理する開錠情報管理手段と、
前記ＩＣチップから非接触状態にて情報を読み取り可能に構成されて前記施設毎に設けられ、前記開錠管理手段にて管理される鍵情報のうち当該施設の開錠を可能とする鍵情報を前記開錠管理手段から取得し、前記ＩＣチップから当該施設の開錠を可能とする鍵情報が読み取られた場合に当該施設を開錠する開錠／施錠手段と、
前記携帯端末にて当該携帯端末に内蔵されたＩＣチップに書き込まれた鍵情報によって開錠可能となる施設を他の携帯端末によって開錠可能とする旨が指定された場合、当該施設を開錠可能とする合鍵情報が組み込まれたプログラムを前記他の携帯端末に提供するプログラム提供手段と、
前記プログラムが提供された携帯端末にて該プログラムを用いてアクセスされた場合、当該プログラムに組み込まれた合鍵情報の当該携帯端末内の前記ＩＣチップへの書き込みを許可するアクセス許可手段とを有し、
前記携帯端末は、前記アクセス許可手段にて許可された合鍵情報を前記ＩＣチップに書き込む。
【０００７】
また、前記プログラム提供手段は、前記プログラムを提供するサイトへのアクセス情報を前記他の携帯端末に通知し、該携帯端末が前記サイトにアクセスし、予め登録された識別情報が指定された場合にのみ、前記プログラムを提供することを特徴とする。
【０００８】
上記のように構成された本発明においては、施設毎に設けられた開錠／施錠手段においてＩＣチップに書き込まれた鍵情報が読み取られた場合に施設の開錠が可能となる携帯端末において、その施設を他の携帯端末によって開錠可能とする旨が指定されると、プログラム提供手段において、その施設を開錠可能とする合鍵情報が組み込まれたプログラムが生成され、このプログラムが他の携帯端末に提供される。そして、プログラムが提供された他の携帯端末において、提供されたプログラムを用いてアクセス許可手段にアクセスが行われると、アクセス許可手段において、送信されてきたプログラムに組み込まれた合鍵情報を他の携帯端末内のＩＣチップへ書き込むことが許可され、他の携帯端末において、アクセス許可手段にて許可された合鍵情報がＩＣチップに書き込まれる。その後、開錠／施錠手段において、他の携帯端末に書き込まれた合鍵情報が読み取られ、読み取られた合鍵情報が当該施設の開錠を可能とする合鍵情報である場合、当該施設が開錠することになる。
【０００９】
このように、施設毎に設けられた開錠／施錠手段においてＩＣチップに書き込まれた鍵情報が読み取られた場合に施設の開錠が可能となる携帯端末において、その施設を他の携帯端末によって開錠可能とする旨を指定することによって、施設の開錠が可能となる合鍵情報が、開錠可能としたい他の携帯端末に書き込まれるので、施設を利用する利用者が所有する携帯端末に、施設の開錠が可能となる合鍵情報を書き込んでおけば、施設を利用する利用者が施設を開錠することができなくなってしまうことがなくなる。
【発明の効果】
【００１０】
以上説明したように本発明においては、施設毎に設けられた開錠／施錠手段においてＩＣチップに書き込まれた鍵情報が読み取られた場合に施設の開錠が可能となる携帯端末において、その施設を他の携帯端末によって開錠可能とする旨を指定することによって、施設の開錠が可能となる合鍵情報が、開錠可能としたい他の携帯端末に書き込まれる構成としたため、施設を利用する利用者が所有する携帯端末に、施設の開錠が可能となる合鍵情報を書き込んでおけば、施設を利用する利用者が施設を開錠することができなくなってしまうことを回避することができる。
【００１１】
また、プログラム提供手段において、プログラムを提供するサイトへのアクセス情報を他の携帯端末に通知し、該携帯端末がこのサイトにアクセスし、予め登録された識別情報が指定された場合にのみ、プログラムを提供する構成としたものにおいては、プログラム提供手段にて生成されたプログラムが第三者に提供されてしまう可能性を低減することができる。
【発明を実施するための最良の形態】
【００１２】
以下に、本発明の実施の形態について図面を参照して説明する。
【００１３】
図１は、本発明の開錠制御システムの実施の一形態を示す図である。
【００１４】
本形態は図１に示すように、鍵情報となる端末ＩＤが書き込まれ、非接触状態にて情報の読み取りが可能なＩＣチップ（不図示）が内蔵された携帯端末である携帯電話１０−１〜１０−ｎと、携帯電話１０−１〜１０−ｎを用いて開錠が可能なミーティングルームやラウンジ、ゲストルーム、あるいは、スパやシアター、エステ、フィットネスクラブ等といった施設２１−１〜２１−ｎが設けられたマンション施設２０と、インターネット５０を介してマンション施設２０内のＬＡＮと接続され、マンション施設２０内に設けられた施設２１−１〜２１−ｎの予約情報を管理するとともに、携帯電話１０−１〜１０−ｎに対して施設２１−１〜２１−ｎを開錠する鍵情報となる端末ＩＤを取得するためのプログラムを提供するデータセンター４０と、インターネット５０を介してマンション施設２０内のＬＡＮ及びデータセンター４０と接続され、施設２１−１〜２１−ｎの利用に応じた決済を管理する決済管理センター３０と、インターネット５０に接続され、データセンター４０から提供されたプログラムに組み込まれた端末ＩＤの携帯電話１０−１〜１０−ｎ内のＩＣチップへの書き込みを許可するアクセス許可サーバ６０とから構成されている。
【００１５】
マンション施設２０には、マンション施設２０内のＬＡＮに接続されたキヨスク端末２３が所定の場所に設置されているとともに、マンション施設２０のフロントにマンション施設２０内のＬＡＮに接続されたコンシェルジェフロントＰＣ２４が設置されている。また、マンション施設２０の各住居内においても、マンション施設２０内のＬＡＮに接続された住居内フロントＰＣ２５−１〜２５−Ｎが設置されている。なお、キヨスク端末２３、コンシェルジェフロントＰＣ２４及び住居内フロントＰＣ２５−１〜２５−Ｎのうち、キヨスク端末２３においては、携帯電話１０−１〜１０−ｎ内のＩＣチップに書き込まれた端末ＩＤを非接触状態にて読み取るための情報読取部（不図示）が設けられている。また、コンシェルジェフロントＰＣ２４及び住居内フロントＰＣ２５−１〜２５−Ｎにおいても、携帯電話１０−１〜１０−ｎ内のＩＣチップに書き込まれた端末ＩＤを非接触状態にて読み取るための情報読取装置（不図示）が接続されて端末として構成されており、この情報読取装置にて携帯電話１０−１〜１０−ｎから読み取られた端末ＩＤがコンシェルジェフロントＰＣ２４及び住居内フロントＰＣ２５−１〜２５−Ｎに入力されるようになっている。また、これらキヨスク端末２３、コンシェルジェフロントＰＣ２４及び住居内フロントＰＣ２５−１〜２５−Ｎは、スイッチ２６及び通信部２７を介してインターネット５０に接続可能に構成されている。このように構成されたキヨスク端末２３、コンシェルジェフロントＰＣ２４及び住居内フロントＰＣ２５−１〜２５−Ｎは、データセンター４０から提供される情報画面またはデータセンター４０から提供される情報によって構成される情報画面を用いて施設２１−１〜２１−ｎの予約が行われた場合に、情報読取部あるいは情報読取装置にて携帯電話１０−１〜１０−ｎ内のＩＣチップから端末ＩＤを読み取り、この端末ＩＤをインターネット５０を介してデータセンター４０に送信する。また、各施設２１−１〜２１−ｎは、それぞれ電気錠（不図示）によって施錠されており、この電気錠は、携帯電話１０−１〜１０−ｎ内のＩＣチップから非接触状態にて情報を読み取り可能に構成された開錠／施錠手段である開錠／施錠制御装置２８−１〜２８−ｎによってその施錠／開錠が制御されている。この開錠／施錠装置２８−１〜２８−ｎは、施設２１−１〜２１−ｎ毎に、施設２１−１〜２１−ｎの開錠を可能とする携帯電話の端末ＩＤを管理する開錠管理サーバ２２に接続されており、対応する施設の開錠を可能とする携帯電話の端末ＩＤを開錠管理サーバ２２から取得し、携帯電話１０−１〜１０−ｎ内のＩＣチップから読み取った端末ＩＤが、開錠管理サーバ２２から取得した端末ＩＤである場合、対応する施設を開錠する。
【００１６】
また、データセンター４０は、マンション施設２０内の施設２１−１〜２１−ｎを予約するための情報画面またはこの情報画面を構成するための情報を提供し、この情報画面を用いて予約された施設２１−１〜２１−ｎの予約情報を予約情報データベース４３に登録して管理するとともに、キヨスク端末２３、コンシェルジェフロントＰＣ２４または住居内フロントＰＣ２５−１〜２５−Ｎから送信されてきた端末ＩＤ及び施設２１−１〜２１−ｎの利用に伴う利用代金情報をインターネット５０を介して決済管理センター３０に送信する予約情報管理部４２と、携帯電話１０−１〜１０−ｎにてこの携帯電話１０−１〜１０−ｎによって開錠可能となる施設２１−１〜２１−ｎを他の携帯電話１０−１〜１０−ｎによって開錠可能とする旨が指定された場合、指定を行った携帯電話１０−１〜１０−ｎの端末ＩＤを端末ＩＤデータベース４５として管理するとともに、この端末ＩＤが組み込まれたプログラムを他の携帯電話１０−１〜１０−ｎに提供し、また、プログラムの提供先となる携帯電話１０−１〜１０−ｎの電子メールアドレスをメール情報データベース４４として管理するプログラム提供部４１と、プログラム提供部４１及び予約情報管理部４２とインターネット５０との通信を制御する通信部４４とから構成されている。
【００１７】
以下に、上記のように構成された開錠制御システムにおける施設２１−１〜２１−ｎの開錠制御方法について説明する。
【００１８】
まず、施設２１−１〜２１−ｎの利用を予約する際の処理について、住居内ＰＣ２５−１にて施設２１−１の利用の予約を行う場合の処理を例に挙げて説明する。
【００１９】
図２は、図１に示した住居内ＰＣ２５−１にて施設２１−１の予約を行う場合の処理を説明するためのフローチャートである。
【００２０】
まず、住居内ＰＣ２１−１にて施設２１−１の予約を行う場合、住居内ＰＣ２１−１にて予約用アプリケーションを起動させ、データセンター４０の予約情報管理部４２にて管理され、予約を行うための情報画面に住居内ＰＣ２１−１にてアクセスを行うと（ステップＳ１）、データセンター４０の予約情報管理部４２からユーザ認証を行うための認証ページが送信される（ステップＳ２）。
【００２１】
データセンター４０の予約情報管理部４２から送信された認証ページは、インターネット５０を介して住居内ＰＣ２５−１にて受信、表示され（ステップＳ３）、その後、住居内ＰＣ２５−１に接続された情報読取装置に携帯電話１０−１〜１０−ｎが翳され、携帯電話１０−１〜１０−ｎ内のＩＣチップに書き込まれた端末ＩＤが読み取られると、読み取られた端末ＩＤは住居内ＰＣ２５−１から送信される（ステップＳ４）。
【００２２】
住居内ＰＣ２５−１から送信された端末ＩＤは、インターネット５０を介してデータセンター４０の予約情報管理部４２にて受信され、受信された端末ＩＤが予め登録されたものであるかが認証される（ステップＳ５）。なお、この認証においては、住居内ＰＣ２５−１から送信された端末ＩＤが予約情報管理部４２にて受信された後、予約情報管理部４２と同じセグメントに設けられている認証サーバ（不図示）に端末ＩＤが通信部４４を介して送信され、認証サーバにて登録された端末ＩＤと比較することによって行うことが考えられる。また、データセンター４０の予約情報管理部４２から送信された認証ページには、利用者ＩＤとパスワードを入力するための領域が設けられており、この領域に、予め登録された利用者ＩＤとパスワードを入力し、予約情報管理部４２に送信することによっても利用者を認証することができる。
【００２３】
ステップＳ５における認証の結果、住居内ＰＣ２５−１から送信された端末ＩＤが予め登録されたものである場合（ステップＳ６）、マンション施設２０内に設けられた施設２１−１〜２１−ｎの一覧が掲載された施設一覧ページが予約情報管理部４２から送信される（ステップＳ７）。
【００２４】
予約情報管理部４２から送信された施設一覧ページは、インターネット５０を介して住居内ＰＣ２５−１にて受信され、表示される（ステップＳ８）。
【００２５】
図３は、図１に示したデータセンター４０の予約情報管理部４２から送信され、住居内ＰＣ２５−１にて受信、表示される施設一覧ページの一例を示す図である。
【００２６】
図３に示すように、図１に示したデータセンター４０の予約情報管理部４２から送信され、住居内ＰＣ２５−１にて受信、表示される施設一覧ページには、施設２１−１〜２１−ｎ毎に、施設２１−１〜２１−ｎの説明が掲載された情報画面にアクセスするための領域１０１と、施設２１−１〜２１−ｎの予約状況が掲載された情報画面にアクセスするための領域１０２とが設けられている。
【００２７】
住居用ＰＣ２５−１に表示された施設一覧ページにおいて、施設２１−１の予約状況が掲載された情報画面にアクセスするための領域１０２がクリック等によって指定されると（ステップＳ９）、施設２１−１の予約状況が掲載された情報画面が予約情報管理部４２から送信され（ステップＳ１０）、住居用ＰＣ２５−１にて受信、表示される（ステップＳ１１）。
【００２８】
図４は、図１に示したデータセンター４０の予約情報管理部４２から送信され、住居内ＰＣ２５−１にて受信、表示される予約状況掲載画面の一例を示す図である。
【００２９】
図４に示すように、図１に示したデータセンター４０の予約情報管理部４２から送信され、住居内ＰＣ２５−１にて受信、表示される予約状況掲載画面には、ステップＳ９にて指定された施設２１−１についての予約状況が掲載されている。なお、上述した予約状況掲載画面を住居内ＰＣ２５−１の予約用アプリケーションにて格納しておき、この予約状況掲載画面を構成するための情報のみを予約情報管理部４２から送信し、住居内ＰＣ２５−１において、予約情報管理部４２から送信されてきた情報を用いて予約状況掲載画面を構成し、表示することも考えられる。すなわち、予約状況掲載画面のフォーマットを住居内ＰＣ２５−１の予約用アプリケーションに格納しておき、予約情報のみを予約情報管理部４２から送信し、住居内ＰＣ２５−１において、予約状況掲載画面のフォーマット内に予約情報管理部４２から送信されてきた予約情報を組み込んで表示することも考えられる。
【００３０】
住居用ＰＣ２５−１に表示された予約状況掲載画面において、施設２１−１の予約状況が空きとなっている日時の中から所望の日時がクリック等によって指定されると（ステップＳ１２）、予約情報管理部４２において、ステップＳ９にて指定された施設２１−１について、ステップＳ６にて認証された端末ＩＤが書き込まれた携帯電話１０−１〜１０−ｎを所有する利用者が、ステップＳ１２にて指定された日時の予約を行った旨が予約情報データベース４３に登録される（ステップＳ１３）。なお、予約情報管理部４２においては、端末ＩＤや利用者ＩＤ及びパスワードとその利用者の氏名や部屋番号等が対応づけて登録されており、ステップＳ６にて認証された端末ＩＤあるいは利用者ＩＤ及びパスワードに対応づけられた利用者の氏名や部屋番号等が予約情報データベース４３に登録され、管理されることになる。
【００３１】
また、ステップＳ６において、住居内ＰＣ２５−１から送信された端末ＩＤが予め登録されたものではない場合は、認証不可である旨がデータセンター４０から通知され（ステップＳ１４）、住居内ＰＣ２５−１にてその旨が表示される（ステップＳ１５）。
【００３２】
また、データセンター４０においては、予約が行われた施設２１−１を示す情報と、施設２１−１の利用日時を示す情報と、ステップＳ６にて認証された端末ＩＤとが対応づけられて、マンション施設２０内の開錠管理サーバ２２に送信される（ステップＳ１６）。
【００３３】
データセンター４０から送信された情報が開錠管理サーバ２２にて受信されると（ステップＳ１７）、開錠管理サーバ２２において、施設２１−１を開錠可能とする端末ＩＤが鍵情報としてその利用日時に対応づけて登録される（ステップＳ１８）。
【００３４】
また、施設２１−１〜２１−ｎ毎に設けられた開錠／施錠制御装置２８−１〜２８−ｎにおいては、開錠管理サーバ２２に定期的にアクセスが行われ、開錠管理サーバ２２にて管理されている施設２１−１〜２１−ｎを示す情報と、その利用日時を示す情報と、それらに対応づけられた端末ＩＤとからなる開錠情報のうち、対応する施設２１−１〜２１−ｎを開錠可能とする開錠情報が取得される。
【００３５】
このようにして、マンション施設２０内の施設２１−１〜２１−ｎの予約が行われ、その後、施設２１−１〜２１−ｎの予約を行った利用者が、予約した日時に施設２１−１〜２１−ｎに出向き、利用者が所有する携帯電話１０−１〜１０−ｎを施設２１−１〜２１−ｎに設けられた開錠／施錠制御装置２８−１〜２８−ｎに翳すと、携帯電話１０−１〜１０−ｎ内のＩＣチップから鍵情報となる端末ＩＤが開錠／施錠制御装置２８−１〜２８−ｎにて読み取られ、開錠／施錠制御装置２８−１〜２８−ｎにおいて、携帯電話１０−１〜１０−ｎ内のＩＣチップから読み取られた端末ＩＤと、開錠管理サーバ２２から取得された端末ＩＤとが照合され、携帯電話１０−１〜１０−ｎから読み取られた端末ＩＤが、施設２１−１〜２１−ｎの予約情報と対応づけられた端末ＩＤである場合、施設２１−１〜２１−ｎが開錠し、施設２１−１〜２１−ｎの利用が可能となる。
【００３６】
次に、上述した一連の処理により、携帯電話１０−１〜１０−ｎを用いて施設２１−１〜２１−ｎの利用を予約した利用者が、他の利用者が所有する携帯電話１０−１〜１０−ｎによっても、予約した施設２１−１〜２１−ｎを開錠可能とさせる際の処理について、携帯電話１０−１を用いて施設２１−１の利用を予約した利用者が、他の利用者が所有する携帯電話１０−２によっても、予約した施設２１−１を開錠可能とさせる場合の処理を例に挙げて説明する。これは、例えば、マンション施設２０の住人が、携帯電話１０−１を用いて施設２１−１の利用を予約することによって携帯電話１０−１が施設２１−１を開錠するための鍵となる場合に、マンション施設２０への来客者が所有する携帯電話１０−２を合鍵とする場合の処理である。
【００３７】
まず、携帯電話１０−１にて合鍵とする携帯電話１０−２が指定されてから、携帯電話１０−２にて携帯電話１０−１の端末ＩＤが組み込まれたプログラムが取得されるまでの処理について説明する。
【００３８】
図５は、図１に示した携帯電話１０−１にて合鍵とする携帯電話１０−２が指定されてから、携帯電話１０−２にて合鍵が組み込まれたプログラムが取得されるまでの処理を説明するためのフローチャートである。
【００３９】
まず、施設２１−１の利用を予約する際に端末ＩＤが登録された携帯電話１０−１において、合鍵条件を登録するためのプログラムを起動させ（ステップＳ２１）、開錠可能とする施設２１−１を示す情報と、携帯電話１０−１を用いて予約した施設２１−１の利用期間のうち、携帯電話１０−２にて施設２１−１を開錠可能とする期間と、携帯電話１０−２の電子メールアドレスとからなる合鍵条件を入力し（ステップＳ２２）、送信を指定すると、この合鍵条件と、携帯電話１０−１内のＩＣチップに書き込まれた端末ＩＤとが送信される（ステップＳ２３）。なお、合鍵条件を登録するためのプログラムは、携帯電話１０−１に予めダウンロードされているものとする。
【００４０】
携帯電話１０−１から送信された合鍵条件と携帯電話１０−１の端末ＩＤとが、インターネット５０を介してデータセンター４０内のプログラム提供部４１にて受信されると（ステップＳ２４）、プログラム提供部４１において、まず、受信された合鍵条件のうち、開錠可能とする施設２１−１を示す情報と、この施設２１−１を開錠可能とする期間を示す情報と、合鍵情報となる携帯電話１０−１の端末ＩＤとが組み込まれたプログラムが生成され、所定のサイトに格納される（ステップＳ２５）。
【００４１】
次に、プログラム提供部４１において、プログラムが格納されたサイトへのアクセス情報となるＵＲＬが生成され（ステップＳ２６）、このＵＲＬが掲載され、携帯電話１０−１から送信されてきた合鍵条件に含まれる携帯電話１０−２の電子メールアドレスが宛先に設定された電子メールが作成され、送信される（ステップＳ２７）。なお、この際、プログラム提供部４１において、このＵＲＬを用いてサイトにアクセスした際にプログラムをダウンロードするための識別情報となるパスワードが設定され、携帯電話１０−１に通知される。
【００４２】
プログラム提供部４１から送信された電子メールが携帯電話１０−２にて受信、表示された後（ステップＳ２８）、携帯電話１０−２に表示されたＵＲＬがクリック等によって指定されると（ステップＳ２９）、パスワードを入力するためのパスワード入力画面がプログラム提供部４１から送信される（ステップＳ３０）。ここで、上述したように、プログラム提供部４１から携帯電話１０−１に対して、電子メールに掲載されたＵＲＬを用いてサイトにアクセスした際にプログラムをダウンロードするためのパスワードが通知されており、このパスワードは、電子メールや電話等の手段によって、携帯電話１０−１の所有者から携帯電話１０−２の所有者に通知されている。
【００４３】
プログラム提供部４１から送信されたパスワード入力画面が携帯電話１０−２にて受信、表示された後（ステップＳ３１）、パスワード入力画面にパスワードが入力されて送信されると（ステップＳ３２）、パスワード入力画面に入力されたパスワードがプログラム提供部４１にて受信される（ステップＳ３３）。
【００４４】
すると、プログラム提供部４１において、受信されたパスワードが、プログラムをダウンロードするために設定されたパスワードであるかどうかが認証され（ステップＳ３４）、受信されたパスワードが、プログラムをダウンロードするために設定されたパスワードであると判断された場合は、開錠可能とする施設２１−１を示す情報と、この施設２１−１を開錠可能とする期間を示す情報と、合鍵情報となる携帯電話１０−１の端末ＩＤとが組み込まれたプログラムが送信される（ステップＳ３５）。
【００４５】
プログラム提供部４１から送信されたプログラムが携帯電話１０−２にて受信されると（ステップＳ３６）、受信されたプログラムは、携帯電話１０−２のメモリ領域のうち、携帯電話１０−２のフォーマットとして自由に書き込み可能なフリー領域に書き込まれる（ステップＳ３７）。
【００４６】
ここで、携帯電話１０−１〜１０−ｎのメモリ領域の構成について説明する。
【００４７】
図６は、携帯電話１０−１〜１０−ｎのメモリ領域の構成を説明するための図である。
【００４８】
携帯電話１０−１〜１０−ｎのメモリ領域は図６に示すように、携帯電話１０−１〜１０−ｎのフォーマットとして自由に書き込みが可能なフリー領域１と、本形態に示すように、非接触型ＩＣカードのように非接触状態にて読み取って使用する情報を書き込む共通領域２とから構成されており、共通領域２に情報を書き込むためには、アクセス許可サーバ６０における許可が必要となる場合がある。そのため、プログラム提供部４１から送信されたプログラムは、携帯電話１０−２のメモリ領域のうちフリー領域１にまず書き込まれることになる。
【００４９】
また、ステップＳ３４において、受信されたパスワードが、プログラムをダウンロードするために設定されたパスワードではないと判断された場合は、携帯電話１０−２に入力されたパスワードが登録されていない旨がプログラム提供部４１から携帯電話１０−２に通知され（ステップＳ３８）、携帯電話１０−２にてその旨が表示される（ステップＳ３９）。
【００５０】
また、プログラム提供部４１においては、ステップＳ２７における電子メールの送信とともに、上述した合鍵条件のうち、開錠可能とする施設２１−１を示す情報と、この施設２１−１を開錠可能とする期間を示す情報と、携帯電話１０−１の端末ＩＤとが開錠管理サーバ２２に送信される（ステップＳ４０）。
【００５１】
そして、プログラム提供部４１から送信された、開錠可能とする施設２１−１を示す情報と、この施設２１−１を開錠可能とする期間を示す情報と、携帯電話１０−１の端末ＩＤとが、インターネット５０を介して開錠管理サーバ２２にて受信されると、開錠管理サーバ２２において、受信された情報が施設２１−１〜２１−ｎの開錠を制御する情報として登録される（ステップＳ４１）。
【００５２】
このようにして開錠管理サーバ２２に登録された情報は、施設２１−１〜２１−ｎ毎に設けられた開錠／施錠装置２８−１〜２８−ｎにおいて、対応する施設２１−１〜２１−ｎに関する情報のみがそれぞれ定期的に取得される。
【００５３】
次に、携帯電話１０−２にてプログラム提供部４１から提供されたプログラムを用いて合鍵情報となる携帯電話１０−１の端末ＩＤを取得する際の処理について説明する。
【００５４】
図７は、図１に示した携帯電話１０−２にてプログラム提供部４１から提供されたプログラムを用いて合鍵情報を取得する際の処理を説明するためのフローチャートである。
【００５５】
まず、携帯電話１０−２において、プログラム提供部４１から提供され、メモリ領域のうちフリー領域１（図６参照）に書き込まれたプログラムを起動させ（ステップＳ５１）、このプログラムによってアクセス許可サーバ６０にアクセスが行われると、携帯電話１０−２内のＩＣチップに書き込まれた端末ＩＤが送信され（ステップＳ５２）、携帯電話１０−２から送信された端末ＩＤがアクセス許可サーバ６０にて受信される（ステップＳ５３）。
【００５６】
アクセス許可サーバ６０においては、プログラム提供部４１から提供されたプログラムを用いて携帯電話１０−２から送信された端末ＩＤが受信されると、プログラムに組み込まれている携帯電話１０−１の端末ＩＤを、携帯電話１０−２のメモリ領域のうち共通領域２（図６参照）に書き込む許可が携帯電話１０−２に送信される（ステップＳ５４）。
【００５７】
携帯電話１０−１の端末ＩＤを携帯電話１０−２のメモリ領域のうち共通領域２（図６参照）に書き込む許可が携帯電話１０−２にて受信されると（ステップＳ５５）、携帯電話１０−２において、携帯電話１０−１の端末ＩＤが、携帯電話１０−２のメモリ領域のうち共通領域２（図６参照）に合鍵情報として書き込まれる（ステップＳ５６）。
【００５８】
これにより、携帯電話１０−２において、携帯電話１０−１の端末ＩＤが非接触状態にて読み取られることにより所定の処理を行うことが可能となる。
【００５９】
その後、携帯電話１０−２の所有者が、合鍵情報を取得した施設に出向き、携帯電話１０−２をその施設に設けられた開錠／施錠制御装置に翳すと、携帯電話１０−２内のＩＣチップからその施設の合鍵情報となる携帯電話１０−１の端末ＩＤが開錠／施錠制御装置にて読み取られ、施設が開錠し、施設の利用が可能となる。
【００６０】
なお、本形態においては、携帯電話１０−１を用いて予約を行った施設２１−１を携帯電話１０−２を用いて開錠可能とする場合を例に挙げて説明したが、携帯電話１０−１を用いて複数の施設の利用を予約している場合に、予約している施設のうち、他の携帯電話にて開錠可能となる施設を指定することも考えられる。その場合、ステップＳ２２において、携帯電話１０−１を用いて予約した施設のうち、携帯電話１０−２にて開錠可能とする施設を指定することになる。
【００６１】
また、本形態においては、施設２１−１〜２１−ｎ毎に設けられた開錠／施錠制御装置２８−１〜２８−ｎにて開錠管理サーバ２２に定期的にアクセスが行われ、開錠管理サーバ２２にて管理されている端末ＩＤを含む開錠情報のうち、対応する施設２１−１〜２１−ｎを開錠可能とする開錠情報が取得され、開錠／施錠制御装置２８−１〜２８−ｎにて携帯電話１０−１〜１０−ｎから端末ＩＤが読み取られた際に、読み取られた端末ＩＤと開錠管理サーバ２２から取得された開錠情報とを用いて施設２１−１〜２１−ｎの開錠が制御されているが、開錠／施錠制御装置２８−１〜２８−ｎにて上述した開錠情報を開錠管理サーバ２２から取得しておかず、開錠／施錠制御装置２８−１〜２８−ｎにて携帯電話１０−１〜１０−ｎから端末ＩＤが読み取られた際に、読み取られた端末ＩＤを開錠管理サーバ２２に送信し、開錠管理サーバ２２において、開錠／施錠制御装置２８−１〜２８−ｎから送信されてきた端末ＩＤと予め登録された端末ＩＤとを比較し、比較結果を開錠／施錠制御装置２８−１〜２８−ｎに送信し、開錠／施錠制御装置２８−１〜２８−ｎにおいて、開錠管理サーバ２２から送信されてきた比較結果に基づいて施設２１−１〜２１−ｎの開錠を制御することも考えられる。
【００６２】
また、開錠管理サーバ２２において、管理されている開錠情報の中から、開錠／施錠制御装置２８−１〜２８−ｎのそれぞれに対して、その開錠／施錠制御装置２８−１〜２８−ｎに対応する施設２１−１〜２１−ｎを開錠可能とする開錠情報のみを選択的に送信し、施設２１−１〜２１−ｎを開錠可能とする開錠情報を、その施設２１−１〜２１−ｎに対応する開錠／施錠制御装置２８−１〜２８−ｎのみに与えておき、開錠／施錠制御装置２８−１〜２８−ｎに携帯電話１０−１〜１０−ｎが翳された場合に、開錠／施錠制御装置２８−１〜２８−ｎに開錠管理サーバ２２から与えられた開錠情報を用いて施設２１−１〜２１−ｎを開錠することも考えられる。
【００６３】
また、本形態においては、施設２１−１〜２１−ｎを開錠するための鍵情報として、携帯電話１０−１〜１０−ｎ内のＩＣチップに書き込まれた端末ＩＤを用いているが、端末ＩＤではなく、携帯電話１０−１〜１０−ｎを用いて施設２１−１〜２１−ｎの予約を行った際に携帯電話１０−１〜１０−ｎ毎に付与され、ＩＣチップに書き込まれた情報や、携帯電話１０−１〜１０−ｎにて合鍵条件を登録するためのプログラムをダウンロードした際に携帯電話１０−１〜１０−ｎ毎に付与され、ＩＣチップに書き込まれた情報等を用いることが考えられる。
【００６４】
（他の実施の形態）
上述した実施の形態においては、施設２１−１〜２１−ｎを開錠可能とする合鍵情報として、施設２１−１〜２１−ｎを予約した携帯電話１０−１の端末ＩＤを用いたが、プログラム提供部４１においてプログラムを生成する際に合鍵情報を生成し、この合鍵情報をプログラムに組み込むことも考えられる。
【００６５】
以下に、図１に示した開錠制御システムにおいてプログラム提供部４１にて合鍵情報を生成する場合における図５及び図７に示した処理について説明する。
【００６６】
まず、携帯電話１０−１にて合鍵とする携帯電話１０−２が指定されてから、携帯電話１０−２にて合鍵情報が組み込まれたプログラムが取得されるまでの処理について説明する。
【００６７】
施設２１−１の利用を予約する際に端末ＩＤが登録された携帯電話１０−１において、合鍵条件を登録するためのプログラムを起動させ、開錠可能とする施設２１−１を示す情報と、携帯電話１０−１を用いて予約した施設２１−１の利用期間のうち、携帯電話１０−２にて施設２１−１を開錠可能とする期間と、携帯電話１０−２の電子メールアドレスとからなる合鍵条件を入力し、送信を指定すると、この合鍵条件と、携帯電話１０−１内のＩＣチップに書き込まれた端末ＩＤとが送信される。
【００６８】
携帯電話１０−１から送信された合鍵条件と携帯電話１０−１の端末ＩＤとが、インターネット５０を介してデータセンター４０内のプログラム提供部４１にて受信されると、プログラム提供部４１において、まず、受信された合鍵条件のうち、開錠可能とする施設２１−１を示す情報と、この施設２１−１を開錠可能とする期間を示す情報とから、指定された期間だけ施設２１−１を開錠可能とする合鍵情報が生成され、この合鍵情報が組み込まれたプログラムが生成され、所定のサイトに格納される。ここで、プログラム提供部４１にて生成される合鍵情報には、開錠可能とする施設２１−１を示す情報と、この施設２１−１を開錠可能とする期間を示す情報と、合鍵毎に固有の番号とが含まれている。
【００６９】
次に、プログラム提供部４１において、プログラムが格納されたサイトへのアクセス情報となるＵＲＬが生成され、このＵＲＬが掲載され、携帯電話１０−１から送信されてきた合鍵条件に含まれる携帯電話１０−２の電子メールアドレスが宛先に設定された電子メールが作成され、送信される。
【００７０】
プログラム提供部４１から送信された電子メールが携帯電話１０−２にて受信、表示された後、携帯電話１０−２に表示されたＵＲＬがクリック等によって指定されると、パスワードを入力するためのパスワード入力画面がプログラム提供部４１から送信され、その後、図５に示したようなパスワード認証が行われる。
【００７１】
パスワード認証が行われた後、合鍵情報が組み込まれたプログラムがプログラム提供部４１から送信される。
【００７２】
プログラム提供部４１から送信されたプログラムが携帯電話１０−２にて受信されると、受信されたプログラムは、携帯電話１０−２のメモリ領域のうち、携帯電話１０−２のフォーマットとして自由に書き込み可能なフリー領域に書き込まれる。
【００７３】
また、プログラム提供部４１においては、携帯電話１０−２に対する電子メールの送信とともに、生成された合鍵情報が開錠管理サーバ２２に送信される。開錠管理サーバ２２に送信された合鍵情報には、上述したように、開錠可能とする施設２１−１を示す情報と、この施設２１−１を開錠可能とする期間を示す情報と、合鍵毎に固有の番号とが含まれているため、開錠管理サーバ２２においては、プログラム提供部４１から送信されてきた合鍵情報が、施設２１−１〜２１−ｎの開錠を制御する情報として登録されることになる。
【００７４】
このようにして開錠管理サーバ２２に登録された情報は、施設２１−１〜２１−ｎ毎に設けられた開錠／施錠装置２８−１〜２８−ｎにおいて、対応する施設２１−１〜２１−ｎに関する情報のみがそれぞれ定期的に取得される。
【００７５】
次に、携帯電話１０−２にてプログラム提供部４１から提供されたプログラムを用いて合鍵情報を取得する際の処理について説明する。
【００７６】
まず、携帯電話１０−２において、プログラム提供部４１から提供されたプログラムを起動させ、このプログラムによってアクセス許可サーバ６０にアクセスが行われると、携帯電話１０−２内のＩＣチップに書き込まれた端末ＩＤが送信され、携帯電話１０−２から送信された端末ＩＤがアクセス許可サーバ６０にて受信される。
【００７７】
アクセス許可サーバ６０においては、プログラム提供部４１から提供されたプログラムを用いて携帯電話１０−２から送信された端末ＩＤが受信されると、プログラムに組み込まれている合鍵情報を、携帯電話１０−２のメモリ領域のうち共通領域２（図６参照）に書き込む許可が携帯電話１０−２に送信される。
【００７８】
合鍵情報を携帯電話１０−２のメモリ領域のうち共通領域２（図６参照）に書き込む許可が携帯電話１０−２にて受信されると、携帯電話１０−２において、合鍵情報が、携帯電話１０−２のメモリ領域のうち共通領域２（図６参照）に書き込まれる。
【００７９】
これにより、携帯電話１０−２において、合鍵情報が非接触状態にて読み取られることにより所定の処理を行うことが可能となる。
【００８０】
その後、携帯電話１０−２の所有者が、合鍵情報を取得した施設に出向き、携帯電話１０−２をその施設に設けられた開錠／施錠制御装置に翳すと、携帯電話１０−２内のＩＣチップからその施設の合鍵情報が開錠／施錠制御装置にて読み取られ、施設が開錠し、施設の利用が可能となる。
【図面の簡単な説明】
【００８１】
【図１】本発明の開錠制御システムの実施の一形態を示す図である。
【図２】図１に示した住居内ＰＣにて施設の予約を行う場合の処理を説明するためのフローチャートである。
【図３】図１に示したデータセンターの予約情報管理部から送信され、住居内ＰＣにて受信、表示される施設一覧ページの一例を示す図である。
【図４】図１に示したデータセンターの予約情報管理部から送信され、住居内ＰＣにて受信、表示される予約状況掲載画面の一例を示す図である。
【図５】図１に示した携帯電話にて合鍵とする携帯電話が指定されてから、携帯電話にて合鍵が組み込まれたプログラムが取得されるまでの処理を説明するためのフローチャートである。
【図６】携帯電話のメモリ領域の構成を説明するための図である。
【図７】図１に示した携帯電話にてプログラム提供部から提供されたプログラムを用いて合鍵情報を取得する際の処理を説明するためのフローチャートである。
【符号の説明】
【００８２】
１    フリー領域
２    共通領域
１０−１〜１０−ｎ    携帯電話
２０    マンション施設
２１−１〜２１−ｎ    施設
２２    開錠管理サーバ
２３    キヨスク端末
２４    コンシェルジェフロントＰＣ
２５−１〜２５−Ｎ    住居内ＰＣ
２６    スイッチ
２７，４４    通信部
２８−１〜２８−ｎ    開錠／施錠制御装置
３０    決済管理センター
４０    データセンター
４１    プログラム提供部
４２    予約情報管理部
４３    予約情報データベース
４４    メール情報データベース
４５    端末ＩＤデータベース
５０    インターネット
６０    アクセス許可サーバ
【図１】
2006144277.tif 000003
【図２】
2006144277.tif 000004
【図３】
2006144277.tif 000005
【図４】
2006144277.tif 000006
【図５】
2006144277.tif 000007
【図６】
2006144277.tif 000008
【図７】
2006144277.tif 000009
【手続補正書】
【提出日】平成16年11月19日(2004.11.19)
【手続補正１】
【補正対象書類名】図面
【補正対象項目名】図１
【補正方法】変更
【補正の内容】
【図１】
2006144277.tif 000010
【手続補正２】
【補正対象書類名】図面
【補正対象項目名】図２
【補正方法】変更
【補正の内容】
【図２】
2006144277.tif 000011
【手続補正３】
【補正対象書類名】図面
【補正対象項目名】図５
【補正方法】変更
【補正の内容】
【図５】
2006144277.tif 000012
【手続補正４】
【補正対象書類名】図面
【補正対象項目名】図６
【補正方法】変更
【補正の内容】
【図６】
2006144277.tif 000013
【手続補正５】
【補正対象書類名】図面
【補正対象項目名】図７
【補正方法】変更
【補正の内容】
【図７】
2006144277.tif 000014